(57)【要約】【課題】エンジン内のオイルを吸い上げるオイルポンプと、該オイルポンプの吐出口に連通する吐出通路と、該吐出通路に連通する供給油路とを備えると共に、冷却系統油路を介してオイルクーラへオイルを供給するエンジンの潤滑構造において、リリーフ弁を使わずに、オイルを被潤滑部に供給すると共に、オイルの冷却を可能にする。【解決手段】上記供給油路は上記吐出通路より断面積を広くし、上記供給油路に設けられた分岐部から、上記冷却系統油路と、シリンダヘッド及び変速機の被潤滑部へオイルを供給する無冷却潤滑油路とに分岐させる。【選択図】          図７
2010007624.tif 000002
【特許請求の範囲】
【請求項１】
エンジン内のオイルを吸い上げるオイルポンプと、該オイルポンプの吐出口に連通する吐出通路と、該吐出通路に連通する供給油路とを備えると共に、
冷却系統油路を介してオイルクーラへオイルを供給するエンジンの潤滑構造において、
上記供給油路は上記吐出通路より断面積を広くし、
上記供給油路に設けられた分岐部から、上記冷却系統油路と、シリンダヘッド及び変速機の被潤滑部へオイルを供給する無冷却潤滑油路とに分岐することを特徴とするエンジンの潤滑構造。
【請求項２】
オイルクーラで冷却されたオイルをクランク軸へ供給する冷却系統戻り油路を設けたことを特徴とする請求項１に記載のエンジンの潤滑構造。
【請求項３】
上記冷却系統戻り油路にオリフィスが設けられていることを特徴とする請求項１に記載のエンジンの潤滑構造。
【請求項４】
上記供給油路はクランクケースとクランクケースカバーとの合せ面に形成され、
上記分岐部はクランクケースカバーに形成されていることを特徴とする請求項１乃至請求項３に記載のエンジンの潤滑構造。
【請求項５】
上記エンジンは鞍乗型車両に搭載され、上記クランクケースカバーはクランクケースの左側または右側に突出して設けられ、
上記冷却系統油路は、上記クランクケースカバーの前側面、後側面、又は上側面において供給油路に接続されることを特徴とする請求項４に記載のエンジンの潤滑構造。
【請求項６】
上記冷却系統油路と冷却系統戻り油路は、クランクケースカバーの壁体部に、互いに平行に形成されていることを特徴とする請求項４または請求項５に記載のエンジンの潤滑構造。
【発明の詳細な説明】
【技術分野】
【０００１】
本発明は、エンジンの潤滑構造に関するものである。
【背景技術】
【０００２】
従来はオイルポンプから吐出したオイルを、オイルフィルタを経由して被潤滑部に供給し、上記オイルフィルタから被潤滑部に至る油路にリリーフ弁を設け、上記油路の油圧が高い場合に上記リリーフ弁を介してオイルを逃がし、逃がしたオイルをオイルクーラを介して冷却し、オイルクーラから出たオイルをオイルポンプの吸入口に流入させる構成が示されている（例えば、特許文献１参照。）。
【０００３】
【特許文献１】特開２００５−４８６６５号公報（図３）
【発明の開示】
【発明が解決しようとする課題】
【０００４】
上記従来の構成では、リリーフ弁を使用するので、部品点数が多くなる。また、リリーフ弁を配置するスペースを確保する必要がある。本発明は、リリーフ弁を使わずに、オイルを被潤滑部に供給すると共に、オイルの冷却を可能にしようとするものである。
【課題を解決するための手段】
【０００５】
本発明は上記課題を解決したものであって、請求項１に記載の発明は、
エンジン内のオイルを吸い上げるオイルポンプと、該オイルポンプの吐出口に連通する吐出通路と、該吐出通路に連通する供給油路とを備えると共に、
冷却系統油路を介してオイルクーラへオイルを供給するエンジンの潤滑構造において、
上記供給油路は上記吐出通路より断面積を広くし、
上記供給油路に設けられた分岐部から、上記冷却系統油路と、シリンダヘッド及び変速機の被潤滑部へオイルを供給する無冷却潤滑油路とに分岐することを特徴とするエンジンの潤滑構造に関するものである。
【０００６】
請求項２に記載の発明は、請求項１に記載のエンジンの潤滑構造において、
オイルクーラで冷却されたオイルをクランク軸へ供給する冷却系統戻り油路を設けたことを特徴とするものである。
【０００７】
請求項３に記載の発明は、請求項１に記載のエンジンの潤滑構造において、
上記冷却系統戻り油路にオリフィスが設けられていることを特徴とするものである。
【０００８】
請求項４に記載の発明は、請求項１乃至請求項３に記載のエンジンの潤滑構造において、
上記供給油路はクランクケースとクランクケースカバーとの合せ面に形成され、
上記分岐部はクランクケースカバーに形成されていることを特徴とするものである。
【０００９】
請求項５に記載の発明は、請求項４に記載のエンジンの潤滑構造において、
上記エンジンは鞍乗型車両に搭載され、上記クランクケースカバーはクランクケースの左側または右側に突出して設けられ、
上記冷却系統油路は、上記クランクケースカバーの前側面、後側面、又は上側面において供給油路に接続されることを特徴とするものである。
【００１０】
請求項６に記載の発明は、請求項４または請求項５に記載のエンジンの潤滑構造において、
上記冷却系統油路と冷却系統戻り油路は、クランクケースカバーの壁体部に、互いに平行に形成されていることを特徴とするものである。
【発明の効果】
【００１１】
請求項１の発明において、
オイルクーラの上流側で冷却系統油路と無冷却潤滑油路とを分岐するので、オイルクーラに供給されるオイルの油圧を下げることができ、低温時の粘性の高いオイルを考慮してオイルクーラの強度を高くする必要がなくなり、かつ、リリーフバルブを設ける必要がないので、冷却系統油路を簡単な構成とすることができる。
【００１２】
請求項２の発明において、
エンジン内で最も高温となるクランク軸へ冷却されたオイルを供給するので、エンジンの冷却が効果的に行われる。
【００１３】
請求項３の発明において、
無冷却潤滑油路より冷却系統油路の方へより高圧のオイルを導くとともに、冷却系統戻り油路を狭くすることによって、オイルクーラにオイルを停滞させて、オイルクーラを大型化することなく冷却効果を向上させることができる。
【００１４】
請求項４の発明において、
冷却系統油路の分岐部を、クランクケースより小型のクランクケースカバーに形成するので、加工が容易である。
【００１５】
請求項５の発明において、
冷却系統油路の車体側方への突出を避けて、エンジンの幅方向を小型化しつつ、クランクケースカバーの幅方向内側に冷却系統油路を配置しているので、油路を保護することができる。
【００１６】
請求項６の発明において、
油路の配置スペースを小型化し、かつ、油路の加工性を向上することができる。
【発明を実施するための最良の形態】
【００１７】
図１は本発明の第１実施形態に係るエンジン１を搭載した自動二輪車２の側面図である。自動二輪車２の車体フレームはヘッドパイプ３と、同ヘッドパイプ３から斜め後方に延出するメインフレーム４と、メインフレーム４の後端から下方に延出するセンターフレーム５と、ヘッドパイプ３から下方に伸びるダウンフレーム６と、メインフレーム４から後方に延出するシートステー７と、センターフレーム５の下端とシートステー７の中央を結ぶミッドフレーム８とを備えている。前輪９を支持するフロントフォーク10がヘッドパイプ３によって操向可能に支持され、フロントフォーク10にはステアリングハンドル11が連結されている。また、後輪12を支持するリアフォーク13がセンターフレーム５の後部に上下揺動可能に支持され、シートステー７とリアフォーク13との間にはクッションユニット14が設けられている。エンジン１は、ダウンフレーム６とセンターフレーム５に支持され、エンジン１の動力は、後輪駆動用チェーン15を介して後輪12に伝達される。メインフレーム４には、エンジン１の上方に位置するようにして燃料タンク16が設けられ、シートステー７上には運転者用と同乗者用のタンデム型シート17が取付けられている。エンジン１の左側前方にはオイルクーラ18が設けてある。
【００１８】
図２は上記エンジン１が搭載されている車両の正面図であり、オイルクーラ18が車両の左側に設けてあることを示している。オイルクーラ18は空冷式オイルクーラである。
【００１９】
図３は上記エンジン１の側面図である。このエンジン１は、内燃機関19と変速機20とが一体となったエンジンである。このエンジン１は左右半割り型のクランクケース23Ｌ、23Ｒを備え、さらにそれぞれの外側、即ち車幅方向右側及び左側、にクランクケースカバー24Ｌ、24Ｒを備えている（図５）。図３は、右クランクケースカバー24Ｒを取り外した状態を示しているので、合わせ面23ｘが見えている。図には、クランク軸25、変速機のメイン軸26、及び変速機のカウンタ軸27の位置が示してある。なお、図３において、後述の冷却系統戻り油路連通経路46、分岐部Ａ、及びオリフィスＷは、実際はクランクケースカバー24Ｒに形成されているものであるが、ここに参考のために対応する位置に記載してある。メイン軸26の右端部には多板クラッチ28が設けてある。更に、図には、ギヤチェンジ機構29、及びオイルポンプ30が示してある。オイルポンプ30は、クランク軸25に設けられた駆動歯車31とオイルポンプ軸32に設けられた従動歯車33との噛合いによって回転駆動される。
【００２０】
クランクケース23の上部に、シリンダブロック34、シリンダヘッド35、シリンダヘッドカバー36が接続されている。シリンダヘッド35の前部に排気管37が接続され、右下方へ曲がって更に後方へ伸び、マフラー38（図１、図２）につながっている。シリンダヘッド35の左側前方にオイルクーラ18が設けてある。
【００２１】
図３において、右クランクケース23Ｒの、右クランクケースカバー24Ｒとの合わせ面23ｘに供給油路40が形成してある。オイルポンプ30は、オイルパン41内のオイルを、吸入通路42を経由して吸引し、吐出通路43を経由して上記供給油路40へ吐出する。
【００２２】
右クランクケース23Ｒの右側には、図３には示していないが、右クランクケースカバー24Ｒが設けてある。この右クランクケースカバー24Ｒに、上記供給油路40から分岐してオイルクーラ18へ向かう冷却系統油路44の分岐部Ａが設けてある。冷却系統油路44はオイルクーラ18と結ばれている。
【００２３】
オイルクーラ18から戻る冷却系統戻り油路45は、上記分岐部Ａの近くを経由し、右クランクケースカバー24Ｒの壁体内に形成される冷却系統戻り油路連通経路46を経由し、クランク軸25の右端部に通じている。（図５）。冷却系統戻り油路連通経路46の末端部にオリフィスＷが形成されている。冷却系統油路44の右クランクケースカバー24Ｒ内の部分44ａと、冷却系統戻り油路45の右クランクケースカバー24Ｒ内の部分45ａと、は平行に形成してある（図５も参照）。
【００２４】
図３において、上記供給油路40の、冷却系統油路44への分岐部Ａより下流側は、シリンダヘッド35と変速機20へ向かう無冷却潤滑油路50につながっている。無冷却潤滑油路50は、シリンダヘッド潤滑油路47、変速機系統供給油路49、メイン軸潤滑油路70、及びカウンタ軸潤滑油路71からなっている（図７参照）。
【００２５】
上記供給油路40の、上記冷却系統油路44の分岐部Ａより下流側に、シリンダヘッド潤滑油路47へ向かう分岐部Ｂが設けてある。シリンダヘッド潤滑油路47は、シリンダブロック34、及びシリンダヘッド35をクランクケース23に連結する４本のスタッドボルトのうちの１本のスタッドボルト51とそのスタッドボルト挿通孔52との間の隙間（図６）に形成されている。オイルは上記シリンダヘッド潤滑油路47を経由してシリンダヘッドの上面の近くへ昇り、カム軸等に供給される。シリンダヘッド潤滑油路47の末端部にはオリフィスＸが形成されている（図６）。
【００２６】
図３において、上記分岐部Ｂの下流側に変速機系統供給油路49へ向かう分岐部Ｃが設けてある。供給油路40は、供給油路40の終端付近からクランク軸25に平行に左方へ向かって右クランクケース23Ｒの壁体を貫通する貫通油路48と、同油路48に内臓されたオリフィスＶを介して変速機系統供給油路49につながっている。
【００２７】
図４は、上記エンジン１の左右方向中央の断面を示した側面図である。図には、右クランクケース23Ｒを取り除き、左クランクケース23Ｌの合わせ面23ｙを示し、かつ、シリンダブロック34、シリンダヘッド35、及びシリンダヘッドカバー36の内部が示してある。図には、クランク軸25、変速機のメイン軸26、変速機のカウンタ軸27、及びシフトドラム53の断面と、シフトフォーク54が示してある。
【００２８】
クランク軸25に連なるクランクピン55に、コンロッド56を介してピストン57が接続されている。シリンダヘッド35の内部には、吸気ポート58、排気ポート59、吸気弁60、および排気弁61が設けてある。シリンダヘッド35とシリンダヘッドカバー36の境界部には、動弁機構62が設けてある。動弁機構62は、カム軸63、吸気ロッカー軸64、排気ロッカー軸65、吸気ロッカーアーム66、および排気ロッカーアーム67等から構成されている。
【００２９】
図４において、左クランクケース23Ｌと右クランクケース23Ｒの合わせ面23ｙに、図３に示した分岐部Ｃの貫通油路48につながる変速機系統供給油路49が設けてある。ここからメイン軸潤滑油路70とカウンタ軸潤滑油路71とがそれぞれ分岐して伸びる。
【００３０】
メイン軸潤滑油路70は、図４において、変速機系統供給油路49の中央部の分岐部Ｄから、クランク軸25に平行に左クランクケース23Ｌの壁体内を左クランクケース23Ｌの左方へ伸びる水平油路72と、この水平油路72の左端につながり左クランクケース23Ｌの左側部において、変速機メイン軸26の左側軸端部に繋がる鉛直油路73とからなっている。
【００３１】
カウンタ軸潤滑油路71は、図３において、変速機系統供給油路49の末端部の分岐部Ｅから、クランク軸25に平行に右クランクケース23Ｒの壁体内を右クランクケース23Ｒの右方へ伸びる水平油路74と、この水平油路74の右端につながり右クランクケース23Ｒの右側部において、変速機カウンタ軸27の右側軸端部に繋がる傾斜油路75とからなっている。
【００３２】
上記鉛直油路73の下端部（図４）と傾斜油路75の下端部（図３）には、それぞれオリフィスＹ、オリフィスＺが形成されている。変速機メイン軸26の左端とカウンタ軸27の右端にそれぞれ供給されたオイルは、それぞれの軸受に供給されるとともに、それぞれの軸の中心孔に供給され、各軸に設けられた半径方向の小径孔から周囲に散布され、常時噛合い式歯車変速機構91（図５）の摺動部や噛合い部を潤滑する。周囲に散布されたオイルは、飛沫オイルとしてオイルパン41に回収される。
【００３３】
図５は、図４のＶ−Ｖ断面図である。クランクケース23は、左クランクケース23Ｌ、右クランクケース23Ｒ、左クランクケースカバー24Ｌ、及び右クランクケースカバー24Ｒから構成されている。クランク軸25は左クランクケース23Ｌと右クランクケース23Ｒにそれぞれクランク軸ベアリング79Ａ、79Ｂを介して回転可能に支持されている。クランク軸25の中央部のクランクピン55に、コンロッド56を介してピストン57が接続され、ピストン57の上面に向き合うシリンダヘッド35の下面には燃焼室80が設けられ、点火プラグ81の先端が、この燃焼室80に臨んでいる。クランク軸25の左端には交流発電機82が設けてある。クランク軸25の右端には遠心フィルタ83が設けてある。
【００３４】
カム軸63はシリンダヘッド35とシリンダヘッドカバー36にカム軸ベアリング84Ａ、84Ｂを介して支持されている。カム軸63の左端、ボールベアリング84Ａの外側にはカム軸従動スプロケット85が設けてあり、クランク軸25に設けられたカム軸駆動スプロケット86との間に、カムチェーン室87の中を通ってカムチェーン88が架渡され、クランク軸25の回転によってカム軸63が回転駆動される。
【００３５】
クランク軸25の後方に、変速機メイン軸26が左クランクケース23Ｌと右クランクケース23Ｒにメイン軸ベアリング89Ａ、89Ｂを介して回転可能に設けてある。上記メイン軸26の後方に、変速機カウンタ軸27が左クランクケース23Ｌと右クランクケース23Ｒにカウンタ軸ベアリング90Ａ、90Ｂを介して回転可能に設けてある。メイン軸26の右端には多板クラッチ28が設けてある。メイン軸26とカウンタ軸27の間には、常時噛合い式歯車変速機構91が構成されている。カウンタ軸27は出力軸であり、その左端に後輪駆動スプロケット92が設けられ、後輪駆動用チェーン15が架渡されている。
【００３６】
図５において、図３にて示したシリンダヘッド潤滑油路47を経てシリンダヘッド35に達したオイルは、シリンダヘッド35の側壁に設けられたシリンダヘッド潤滑油路連通経路93を経由して、カム軸63の中心孔63ａへ供給される。
【００３７】
オイルクーラ18はエンジン１のシリンダヘッド35の左側前方に設けてある。右クランクケースカバー24Ｒに、供給油路40から分岐してオイルクーラ18へ向かう冷却系統油路44の分岐部Ａが設けてある。冷却系統油路44はオイルクーラ18と結ばれている。
【００３８】
オイルクーラ18から戻るオイルの経路である冷却系統戻り油路45は、上記冷却系統油路44の分岐部Ａの近くを経由し、クランクケースカバー24の壁体内に形成される冷却系統戻り油路連通経路46を経由して戻る。戻りオイルの戻り先はクランク軸25の右端に設けてある遠心フィルタ83である。遠心フィルタ83に供給された冷却系統戻りオイルは、クランク軸25の中心孔25ａに供給され、さらに同中心孔25ａに連なるクランクピン55の中心孔55ａに供給され、高温となるコンロッド56の大端部56ａを冷却する。冷却系統戻り油路連通経路46の末端部にはオリフィスＷが設けてある。コンロッド大端部56ａから洩れたオイルはシリンダ孔34ａ内の摺動部を潤滑した後、飛沫オイルとしてオイルパン41に回収される。なお、オリフィスＷは、クランクケースカバー24Ｒの、クランクケース23Ｒに対する合わせ面を備える壁体部の前側面に垂直に細径の穿孔加工がなされ、その後、オリフィスＷの部分を残して大径の穿孔加工を施して形成される。
【００３９】
図５において、先に述べた変速機系統供給油路49に連なる油路のうち、左クランクケース23Ｌの左側に、変速機メイン軸26の左側軸端部に繋がる鉛直油路73の下端73ａとオリフィスＹが位置している。また、右クランクケース23Ｒの右側に、変速機カウンタ軸27の右側軸端部に繋がる傾斜油路75の下端75ａとオリフィスＺが位置している。なお、分岐部Ａは冷却系統油路44の右クランクケースカバー24Ｒ内の部分44ａと交わる部分より右クランクケースカバー24Ｒの外側方向へ延出して穿孔されており、この延出部に砂などを溜める構造となっている。
【００４０】
図６は、シリンダヘッド35内の動弁機構62の上面図である。矢印Ｆは前方を指している。スタッドボルト51とスタッドボルト挿通孔52との隙間のシリンダヘッド潤滑油路47を経てシリンダヘッド35に達したオイルは、シリンダヘッド潤滑油路連通経路93を経てカム軸63の中心孔63ａに供給される。さらにカム軸63に設けられた半径方向の小径孔から周囲に散布され、ロッカー軸64、65とロッカーアーム66、67の摺動部、ロッカーアーム66、67の先端とカムとの摺動部、吸気弁60、排気弁61の弁軸の摺動部等へ供給される。空間に散布されたオイルは飛沫オイルとして、最終的にはカムチェーン室87を経てオイルパン41に回収される。
【００４１】
図７は、以上に説明した油路の接続状態をまとめた油路系統図である。特に、無冷却潤滑油路50は、シリンダヘッド潤滑油路47、変速機系統供給油路49、メイン軸潤滑油路70、及びカウンタ軸潤滑油路71からなっていることを示している。
【００４２】
図８は本発明の第２実施形態に係る右クランクケースカバー24Ｒの左面（内面）図である。右クランクケース23Ｒに対する合わせ面には、図３に示した供給油路40と対を成す部分、即ち供給油路対向部40ｂが設けてある。右クランクケースカバー24Ｒの内面の前寄りに遠心フィルタ83へ冷却系統戻りオイルを供給する冷却系統戻り油路連通経路46の端部46ａが設けてある。また、右クランクケースカバー24Ｒの内面の後寄りに多板クラッチ28の操作ロッド28ａの支持部95（図５も参照）が設けてある。
【００４３】
右クランクケースカバー24Ｒの内面の上寄りにはリリーフ弁装着部96が設けられ、右クランクケースカバー24Ｒの壁体に上記供給油路対向部40ｂと上記リリーフ弁装着部96とを連通するリリーフ弁連通油路97が設けてある。前述の第１実施形態では、リリーフ弁を用いなかったが、本第２実施形態では、高圧発生時に対処するため、リリーフ弁装着部96を設けて、リリーフ弁を装着可能にしたものである。高圧発生時には、供給油路40の高圧油が、リリーフ弁連通油路97を経由して、リリーフ弁に至り、リリーフ弁で開放され、オイルパン41に回収される。
【００４４】
以上詳述したように、本実施形態によって、つぎの効果がもたらされる。
（１）オイルクーラ18の上流側で冷却系統油路44とシリンダヘッドと変速機へ向かう無冷却潤滑油路50とを分岐するので、オイルクーラ18に供給されるオイルの油圧を下げることができ、低温時の粘性の高いオイルを考慮してオイルクーラ18の強度を高くする必要がなくなり、また、リリーフバルブを設ける必要がないので、冷却系統油路44を簡単な構成とすることができる。
（２）エンジン１内で最も高温となるクランク軸25及びその周辺へオイルクーラ18で冷却されたオイルクーラ戻りオイルを供給するので、エンジン１の冷却が効果的に行われる。
（３）無冷却潤滑油路50に設けられたオリフィスＸ、Ｙ、Ｚによって冷却系統油路44の方へより高圧のオイルを導くとともに、冷却系統戻り油路45にもオリフィスＷを設けてあるので、オイルクーラ18にオイルを停滞させて、オイルクーラ18を大型化することなく冷却効果を向上させることができる。
（４）冷却系統油路44へ向かう分岐部Ａを、クランクケースより小型のクランクケースカバー24に形成するので、加工が容易である。
（５）冷却系統油路44は、クランクケースカバー24の前側面において供給油路40に接続し、クランクケースカバー24の幅方向内側に冷却系統油路44を配置しているので、油路を保護することができる。
（６）冷却系統油路44と冷却系統戻り油路45は、クランクケースカバー24の壁体部に、互いに平行に形成してあるので、油路の配置スペースを小型化し、かつ、油路の加工性を向上することができる。
（７）油路に高圧が発生した場合には、リリーフ弁によって高圧油を開放することが出来る（第２実施形態）。
【図面の簡単な説明】
【００４５】
【図１】本発明の第１実施形態に係るエンジンを備えた自動二輪車の側面図である。
【図２】上記エンジンが搭載されている車両の正面図である。
【図３】上記エンジンの右クランクケースカバーを取り外した側面図である。
【図４】上記エンジンの幅方向中央の断面を示した側面図である。
【図５】図４のＶ−Ｖ断面図である。
【図６】動弁機構の上面図である。
【図７】上記実施形態の油路系統図である。
【図８】本発明の第２実施形態に係る右クランクケースカバーの左面図である。
【符号の説明】
【００４６】
Ａ,Ｂ,Ｃ,Ｄ,Ｅ…分岐部、Ｙ,Ｚ,Ｖ,Ｗ…オリフィス、23Ｌ…左クランクケース、23Ｒ…右クランクケース、23ｘ…右クランクケース23Ｒと右クランクケースカバー24Ｒとの合わせ面、23ｙ…左クランクケース23Ｌと右クランクケース23Ｒとの合わせ面、24Ｌ…左クランクケースカバー、24Ｒ…右クランクケースカバー、25…クランク軸、25ａ…クランク軸中心孔、26…メイン軸、26ａ…メイン軸中心孔、27…カウンタ軸、27ａ…カウンタ軸中心孔、30…オイルポンプ、40…供給油路、42…吸入通路、43…吐出通路、44…冷却系統油路、45…冷却系統戻り油路、46…冷却系統戻り油路連通経路、47…シリンダヘッド潤滑油路、48…貫通油路、49…変速機系統供給油路、50…無冷却潤滑油路、70…メイン軸潤滑油路、71…カウンタ軸潤滑油路、72…水平油路、73…鉛直油路、74…水平油路、75…傾斜油路、83…遠心フィルタ。
【図１】
2010007624.tif 000003
【図２】
2010007624.tif 000004
【図３】
2010007624.tif 000005
【図４】
2010007624.tif 000006
【図５】
2010007624.tif 000007
【図６】
2010007624.tif 000008
【図７】
2010007624.tif 000009
【図８】
2010007624.tif 000010